【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
患者の血管への挿入のためにサイズ設定されている、縦軸を有する細長いシースと；
該シースの近位部分に結合されたハブと
を含み、該ハブが、
第一のノッチを有する第一のハブ部分と；
該第一のハブ部分を部分的に包囲する第二のハブ部分と
を含み、該第二のハブ部分が、
2つのウィングと；
該第一のノッチの上に設けられた開口と
を含み、該第一のハブ部分が第一の材料を含み、該第二のハブ部分が第二の材料を含み、該第一の材料が該第二の材料とは異なる、
イントロデューサアセンブリ。
【請求項２】
第一の材料が第一の極限強さを有し、第二の材料が第二の極限強さを有し、該第二の極限強さが該第一の極限強さよりも大きい、請求項1記載のイントロデューサアセンブリ。
【請求項３】
第一の材料が第一の剛性を有し、第二の材料が第二の剛性を有し、該第二の剛性が該第一の剛性よりも大きい、請求項1記載のイントロデューサアセンブリ。
【請求項４】
第一のノッチが、細長いシースの縦軸に対して平行に配向されている、請求項1〜3のいずれか一項記載のイントロデューサアセンブリ。
【請求項５】
ハブが、細長いシースの縦軸の方向に沿って第一のノッチで破断するように構成されている、請求項1〜4のいずれか一項記載のイントロデューサアセンブリ。
【請求項６】
細長いシースが、該細長いシースの縦軸に対して平行な縦方向の切り込みをさらに含む、請求項1〜5のいずれか一項記載のイントロデューサアセンブリ。
【請求項７】
細長いシースが、該細長いシースの縦軸に対して平行な縦方向の切り込みに沿って裂けるように構成されている、請求項1〜6のいずれか一項記載のイントロデューサアセンブリ。
【請求項８】
第一のハブ部分がリッジを含む、請求項1〜7のいずれか一項記載のイントロデューサアセンブリ。
【請求項９】
第一のハブ部分と細長いシースとが止血性結合を形成する、請求項1〜8のいずれか一項記載のイントロデューサアセンブリ。
【請求項１０】
各ウィングが広い面および狭い面を含み、該広い面が細長いシースの縦軸に対して垂直である、請求項1〜9のいずれか一項記載のイントロデューサアセンブリ。
【請求項１１】
各ウィングが広い面および狭い面を含み、該狭い面が細長いシースの縦軸に対して垂直である、請求項1〜10のいずれか一項記載のイントロデューサアセンブリ。
【請求項１２】
第一のハブ部分が第二のノッチを含む、請求項1〜11のいずれか一項記載のイントロデューサアセンブリ。
【請求項１３】
第一のハブ部分が、第一のノッチの縁を画定する第一のリッジおよび第二のリッジを含む、請求項1〜12のいずれか一項記載のイントロデューサアセンブリ。
【請求項１４】
第一の材料が約45ショアDの硬さを有する、請求項1〜13のいずれか一項記載のイントロデューサアセンブリ。
【請求項１５】
第二の材料が約68〜72ショアDの範囲の硬さを有する、請求項1〜14のいずれか一項記載のイントロデューサアセンブリ。
【請求項１６】
ハブが約9Frの最小直径を有する、請求項1〜15のいずれか一項記載のイントロデューサアセンブリ。
【請求項１７】
ハブが約26Frの最小直径を有する、請求項1〜16のいずれか一項記載のイントロデューサアセンブリ。
【請求項１８】
第一のハブ部分が第一のノッチにおいて0.1mmの最小厚さを有する、請求項1〜17のいずれか一項記載のイントロデューサアセンブリ。
【請求項１９】
第一のハブ部分が第一のノッチにおいて0.3mmの最大厚さを有する、請求項1〜18のいずれか一項記載のイントロデューサアセンブリ。
【請求項２０】
第一のノッチにおける第一のハブ部分の厚さが、該ノッチの長さに沿って可変性である、請求項1〜19のいずれか一項記載のイントロデューサアセンブリ。
【請求項２１】
第一のノッチにおける第一のハブ部分の厚さが、該第一のハブ部分の近位端部分において最大である、請求項20記載のイントロデューサアセンブリ。
【請求項２２】
第一のノッチにおける第一のハブ部分の厚さが、該第一のハブ部分の近位端部分において約0.01インチ〜0.012インチである、請求項21記載のイントロデューサアセンブリ。
【請求項２３】
第一のノッチにおける第一のハブ部分の厚さが、該第一のハブ部分の遠位端部分において約0.004インチ〜0.006インチである、請求項21記載のイントロデューサアセンブリ。
【請求項２４】
第一のハブ部分が、細長いシースの近位部分を包囲している、請求項1〜20記載のイントロデューサアセンブリ。
【手続補正２】
【補正対象書類名】明細書
【補正対象項目名】００１１
【補正方法】変更
【補正の内容】
【００１１】
いくつかの実施形態において、第一のノッチにおける第一のハブ部分の厚さはノッチの長さに沿って可変性である。いくつかの実施形態において、第一のノッチにおける第一のハブ部分の厚さは第一のノッチの近位端部分において最大である。いくつかの実施形態において、第一のノッチにおける第一のハブ部分の厚さは第一のハブの近位端において約0.01インチ〜0.012インチである。いくつかの実施形態において、第一のノッチにおける第一のハブ部分の厚さは第一のハブの遠位端部分において約0.004インチ〜0.006インチである。
[本発明1001]
患者の血管への挿入のためにサイズ設定されている、縦軸を有する細長いシースと；
該シースの近位部分に結合されたハブと
を含み、該ハブが、
第一のノッチを有する第一のハブ部分と；
該第一のハブ部分を部分的に包囲する第二のハブ部分と
を含み、該第二のハブ部分が、
2つのウィングと；
該第一のノッチの上に設けられた開口と
を含み、該第一のハブ部分が第一の材料を含み、該第二のハブ部分が第二の材料を含み、該第一の材料が該第二の材料とは異なる、
イントロデューサアセンブリ。
[本発明1002]
第一の材料が第一の極限強さを有し、第二の材料が第二の極限強さを有し、該第二の極限強さが該第一の極限強さよりも大きい、本発明1001のイントロデューサアセンブリ。
[本発明1003]
第一の材料が第一の剛性を有し、第二の材料が第二の剛性を有し、該第二の剛性が該第一の剛性よりも大きい、本発明1001のイントロデューサアセンブリ。
[本発明1004]
第一のノッチが、細長いシースの縦軸に対して平行に配向されている、本発明1001〜1003のいずれかのイントロデューサアセンブリ。
[本発明1005]
ハブが、細長いシースの縦軸の方向に沿って第一のノッチで破断するように構成されている、本発明1001〜1004のいずれかのイントロデューサアセンブリ。
[本発明1006]
細長いシースが、該細長いシースの縦軸に対して平行な縦方向の切り込みを含む、本発明1001〜1005のいずれかのイントロデューサハブ。
[本発明1007]
細長いシースが、該細長いシースの縦軸に対して平行な縦方向の切り込みに沿って裂けるように構成されている、本発明1001〜1006のいずれかのイントロデューサアセンブリ。
[本発明1008]
第一のハブ部分がリッジを含む、本発明1001〜1007のいずれかのイントロデューサアセンブリ。
[本発明1009]
第一のハブ部分と細長いシースとが止血性結合を形成する、本発明1001〜1008のいずれかのイントロデューサアセンブリ。
[本発明1010]
各ウィングが広い面および狭い面を含み、該広い面が細長いシースの縦軸に対して垂直である、本発明1001〜1009のいずれかのイントロデューサアセンブリ。
[本発明1011]
各ウィングが広い面および狭い面を含み、該狭い面が細長いシースの縦軸に対して垂直である、本発明1001〜1010のいずれかのイントロデューサアセンブリ。
[本発明1012]
第一のハブ部分が第二のノッチを含む、本発明1001〜1011のいずれかのイントロデューサアセンブリ。
[本発明1013]
第一のハブ部分が、第一のノッチの縁を画定する第一のリッジおよび第二のリッジを含む、本発明1001〜1012のいずれかのイントロデューサアセンブリ。
[本発明1014]
第一の材料が約45ショアDの硬さを有する、本発明1001〜1013のいずれかのイントロデューサアセンブリ。
[本発明1015]
第二の材料が約68〜72ショアDの範囲の硬さを有する、本発明1001〜1014のいずれかのイントロデューサアセンブリ。
[本発明1016]
ハブが約9Frの最小直径を有する、本発明1001〜1015のいずれかのイントロデューサアセンブリ。
[本発明1017]
ハブが約26Frの最小直径を有する、本発明1001〜1016のいずれかのイントロデューサアセンブリ。
[本発明1018]
第一のハブ部分が第一のノッチにおいて0.1mmの最小厚さを有する、本発明1001〜1017のいずれかのイントロデューサアセンブリ。
[本発明1019]
第一のハブ部分が第一のノッチにおいて0.3mmの最大厚さを有する、本発明1001〜1018のいずれかのイントロデューサアセンブリ。
[本発明1020]
第一のノッチにおける第一のハブ部分の厚さが、該ノッチの長さに沿って可変性である、本発明1001〜1019のいずれかのイントロデューサアセンブリ。
[本発明1021]
第一のノッチにおける第一のハブ部分の厚さが、該第一のハブ部分の近位端部分において最大である、本発明1020のイントロデューサアセンブリ。
[本発明1022]
第一のノッチにおける第一のハブ部分の厚さが、該第一のハブ部分の近位端部分において約0.01インチ〜0.012インチである、本発明1021のイントロデューサアセンブリ。
[本発明1023]
第一のノッチにおける第一のハブ部分の厚さが、該第一のハブ部分の遠位端部分において約0.004インチ〜0.006インチである、本発明1021のイントロデューサアセンブリ。